(57)【要約】【課題】  ＤＶＤプレーヤ、ビデオプレーヤあるいはＣＤプレーヤなどの電子機器に適用可能であり、横置きや壁掛けで使用する場合に好適であるとともに、横置き、壁掛けの何れの使用形態でも操作性、視認性を向上できるようにする。【解決手段】  ゴム脚３０を係合孔３１から取り外し、その係合孔３１を壁掛け部材に引っ掛けることによって電子機器１を壁掛け用として使用できる。この後、インターフェース部１３を上側に９０度回転させることにより、それまで底面側に位置するインターフェース部１３が正面側に向けられるので、リモコン受信部を含む複数の操作ボタン１０から成る操作部１１の操作性も優れるとともに、表示部１２も見やすい。【選択図】        図２
2005267675.tif 000002
【特許請求の範囲】
【請求項１】
横置き・壁掛け兼用可能な電子機器であって、該電子機器の筺体の底面に壁掛け部材に係合する係合孔を形成し、この係合孔にゴム脚を着脱自在に装着するとともに、前記壁掛け時に前記電子機器内への異物の防止する防塵カバーを前記ゴム脚と同一高さ形成し、この防塵カバーを前記筺体の底面に着脱自在に装着したことを特徴とする横置き・壁掛け兼用可能な電子機器。
【請求項２】
前記ゴム脚に環状溝を有する係合突部を形成し、前記係合孔は、前記係合突部を挿通する径大孔部と、この径大孔部と連続して前記環状溝と嵌合する嵌合孔部とを備え、前記係合突部を径大孔部に挿入してゴム脚をスライドさせて前記係合孔に前記ゴム脚を装着して成ることを特徴とする請求項１記載の横置き・壁掛け兼用可能な電子機器。
【請求項３】
前記電子機器は、リモコン受信部を含む操作部、表示部などを備えたインターフェース部を備え、このインターフェース部を前記筐体に対して回動させる回動機構を設け、前記電子機器の横置き時と壁掛け時の何れの使用形態においても前記インターフェース部を前記筐体の前面側に配置するように構成したことを特徴とする請求項１又は２に記載の横置き・壁掛け兼用可能な電子機器。
【請求項４】
前記筐体は、前記電子機器を横置きとして使用した際、その前面部から天板部に跨がる表示窓を備え、この表示窓に前記インターフェース部に臨ませて回動自在に組み込むとともに、インターフェース部には、その表示面を除いて前記表示窓を塞ぐ閉塞部を備えたことを特徴とする請求項３記載の横置き・壁掛け兼用可能な電子機器。
【請求項５】
前記インターフェース部に設けた制御基板と前記電子機器に設けた制御基板とを可撓性を有する配線部材で電気的に接続したことを特徴とする請求項３又は４に記載の横置き・壁掛け兼用可能な電子機器。
【発明の詳細な説明】
【技術分野】
【０００１】
本発明は、横置き・壁掛け兼用可能な電子機器置、特に、テレビジョン受像機に接続されるＤＶＤプレーヤ、ビデオプレーヤ、デジタル方式で放送される放送番組を受信するセットトップボックスあるいはＣＤプレーヤなどの電子機器において横置きや壁掛けで使用する場合に好適な横置き・壁掛け兼用可能な電子機器置に関する。
【背景技術】
【０００２】
近年、テレビジョン受像機などにおいては、ＰＤＰなどの薄型フラットパネルを使用した液晶型テレビジョン受像機は広く普及してきており、壁掛け対応が可能となっているが、テレビジョン受像機に接続されるチューナーやＤＶＤプレーヤやビデオプレーヤなどの周辺機器は、主に横置きにして使用する形態が一般的である。このため、折角、薄型のテレビジョン受像機を壁に掛けて使用した場合であっても、そのテレビジョン受像機と接続される周辺機器が横置きであるから、無駄なデッドスペースが生じ、省スペースのメリットが活かされないばかりでなく、壁掛けのテレビジョン受像機と横置きの周辺機器との統一的な一体感もないことから、デザイン性に乏しい。したがって、横置きとしても壁掛けとしても使用可能な電子機器置であれば、ユーザーのニーズに応じて使用形態が選べることからそのメリットは大きい。このような横置きとしても壁掛けとしても使用可能な電子機器として特許文献１には、電子機器の卓上・壁掛け構造が提案されている。
【０００３】
【特許文献１】特開平１１−２２５１９４号公報
【発明の開示】
【発明が解決しようとする課題】
【０００４】
しかし、特許文献１に提案されているものは、電話機に関する技術であって、卓上から壁掛けで使用する際にベース部材を取り外す手間が省けるとともに、次に卓上で使用するまでに、ベース部材の紛失を防止することを目的とするものである。したがって、前述したテレビジョン受像機などに接続される周辺機器に適用できないばかりでなく、この種の周辺機器を壁掛けとして用いた場合、その操作性、表示部の視認性が問題となる。すなわち、ＤＶＤプレーヤやビデオプレーヤあるいはＣＤプレーヤなどは、前面にリモコン装置の受信部や操作ボタンを備えたインターフェース部が配置され、その配置は、横置き使用時を基準としているため、壁掛けとして使用した際、インターフェース部が下面若しくは上面には位置されることになるから、極めて使いづらくなる、という課題を有している。
【０００５】
本発明は、上記課題に鑑みてなされたもので、テレビジョン受像機に接続されるＤＶＤプレーヤ、ビデオプレーヤ、デジタル方式で放送される放送番組を受信するセットトップボックスあるいはＣＤプレーヤなどの電子機器に適用可能であって横置きや壁掛けで使用する場合に好適であるとともに、操作性、視認性に優れた横置き・壁掛け兼用可能な電子機器を提供することを目的とする。
【課題を解決するための手段】
【０００６】
本発明の請求項１の横置き・壁掛け兼用可能な電子機器は、横置き・壁掛け兼用可能な電子機器であって、該電子機器の筺体の底面に壁掛け部材に係合する係合孔を形成し、この係合孔にゴム脚を着脱自在に装着するとともに、前記壁掛け時に前記電子機器内への異物の防止する防塵カバーを前記ゴム脚と同一高さ形成し、この防塵カバーを前記筺体の底面に着脱自在に装着したことを特徴とする。
【０００７】
請求項１の構成により、電子機器を横置きに設置する場合は、筐体は、その裏面に装着されたゴム脚と防塵カバーによって支持され、ゴム脚の緩衝作用によって電子機器に加わる振動が抑制される。また、電子機器を壁に掛けて設置する場合は、筐体からゴム脚と防塵カバーを取り外し、ゴム脚を装着する係合孔を壁面に固定した壁掛け部材に係合させることによって、壁面に電子機器を吊設することができる。この際、筐体の裏面から取り外した防塵カバーを電子機器の上面側に装着し、防塵カバーによって電子機器内部への塵や埃などに侵入を防止することが可能となる。
【０００８】
本発明の請求項２の横置き・壁掛け兼用可能な電子機器は、請求項１記載の横置き・壁掛け兼用可能な電子機器において、前記ゴム脚に環状溝を有する係合突部を形成し、前記係合孔は、前記係合突部を挿通する径大孔部と、この径大孔部と連続して前記環状溝と嵌合する嵌合孔部とを備え、前記係合突部を径大孔部に挿入してゴム脚をスライドさせて前記係合孔に前記ゴム脚を装着して成ることを特徴とする。
【０００９】
請求項２の構成により、ゴム脚を筐体に装着する場合、ゴム脚の係合突部を係合孔の径大孔部に挿入した後、ゴム脚を横方向にスライドさせて環状溝を嵌合孔部に嵌合させる。これによりゴム脚と係合突部との間に筐体が挟着され、筐体にゴム脚が装着される。ゴム脚は筐体から取り外す場合は、ゴム脚を逆方向にスライドさせ、係合突部を径大孔部から引き抜けばよい。
【００１０】
本発明の請求項３の横置き・壁掛け兼用可能な電子機器は、請求項１又は２に記載の横置き・壁掛け兼用可能な電子機器において、前記電子機器は、リモコン受信部を含む操作部、表示部などを備えたインターフェース部を備え、このインターフェース部を前記筐体に対して回動させる回動機構を設け、前記電子機器の横置き時と壁掛け時の何れの使用形態においても前記インターフェース部を前記筐体の前面側に配置するように構成したことを特徴とする。
【００１１】
請求項３の構成により、横置きから壁掛けへと使用形態を変更した場合、インターフェース部を上側に９０度回転させることにより、それまで底面側に位置するインターフェース部が正面側に向けられる。これにより、インターフェース部は使用者と対面するように常に前面側に配置することが可能となる。
【００１２】
本発明の請求項４の横置き・壁掛け兼用可能な電子機器は、請求項３記載の横置き・壁掛け兼用可能な電子機器において、前記筐体は、前記電子機器を横置きとして使用した際、その前面部から天板部に跨がる表示窓を備え、この表示窓に前記インターフェース部に臨ませて回動自在に組み込むとともに、インターフェース部には、その表示面を除いて前記表示窓を塞ぐ閉塞部を備えたことを特徴とする。
【００１３】
請求項４の構成により、電子機器を横置きとした場合、インターフェース部の表示面は筐体の前面側開口部に臨み、天井側開口部が閉塞部によって塞がれる。一方、壁掛けとして使用した場合、インターフェース部の表示面は天井側開口部に臨み、前面側開口部が閉塞部によって塞がれる。
【００１４】
本発明の請求項５の横置き・壁掛け兼用可能な電子機器は、請求項３又は４に記載の横置き・壁掛け兼用可能な電子機器において、前記インターフェース部に設けた制御基板と前記電子機器に設けた制御基板とを可撓性を有する配線部材で電気的に接続したことを特徴とする。
【００１５】
請求項５の構成により、インターフェース部を回動させた際、インターフェース部の制御基板と電子機器の制御基板とを接続する配線部材がインターフェース部の動作に追従して撓み、配線部材が引っ張られることなく、各制御基板と配線部材との接続部分に無理な力が加わらない。
【発明の効果】
【００１６】
本発明の請求項１の横置き・壁掛け兼用可能な電子機器によれば、横置き・壁掛け兼用可能な電子機器であって、該電子機器の筺体の底面に壁掛け部材に係合する係合孔を形成し、この係合孔にゴム脚を着脱自在に装着するとともに、前記壁掛け時に前記電子機器内への異物の防止する防塵カバーを前記ゴム脚と同一高さ形成し、この防塵カバーを前記筺体の底面に着脱自在に装着したものであるから、ユーザーのニーズに応じて電子機器を横置きとしても壁掛けとしても使用でき、特に、電子機器を薄型フラットパネルの周辺機器に適用した場合、テレビジョン受像機を壁に掛けて設置した場合、これに並設するように電子機器を壁に掛けて設置することができるから、省スペース化を図ることができるとともに、テレビジョン受像機と電子機器とが壁面に統一的に配置され、意匠的にもスマートで統一的なデザインとなる。また、ゴム脚を取り外せば、ゴム脚を装着する係合孔を用いて電子機器を壁に掛けることができ、別途、壁掛け部材を引っ掛ける孔を設ける必要がないため、製造コストの低減にも寄与できる。さらに、防塵カバーをゴム脚と同じ高さとすることにより、この防塵カバーとゴム脚とで、電子機器を安定的に支持することができ、かつ、筐体の裏面に装着するゴム脚の個数も減らすことができるから、一層、コストダウンを図ることができる。しかも、壁に掛けて使用する際、取り外した防塵カバーを筐体に装着して電子機器の内部への埃や塵などの侵入を防ぐことができる。
【００１７】
本発明の請求項２の横置き・壁掛け兼用可能な電子機器によれば、請求項１記載の横置き・壁掛け兼用可能な電子機器において、前記ゴム脚に環状溝を有する係合突部を形成し、前記係合孔は、前記係合突部を挿通する径大孔部と、この径大孔部と連続して前記環状溝と嵌合する嵌合孔部とを備え、前記係合突部を径大孔部に挿入してゴム脚をスライドさせて前記係合孔に前記ゴム脚を装着して成るものであるから、ゴム脚をスライドさせるといった簡単な操作でゴム脚を簡単に着脱することができ、ゴム脚の着脱操作も容易である。
【００１８】
本発明の請求項３の横置き・壁掛け兼用可能な電子機器によれば、請求項１又は２に記載の横置き・壁掛け兼用可能な電子機器において、前記電子機器は、リモコン受信部を含む操作部、表示部などを備えたインターフェース部を備え、このインターフェース部を前記筐体に対して回動させる回動機構を設け、前記電子機器の横置き時と壁掛け時の何れの使用形態においても前記インターフェース部を前記筐体の前面側に配置するように構成したものであるから、横置き、壁掛けの何れの使用形態でもリモコン受信部を含む複数の操作ボタンから成る操作部を使用者と対面するように電子機器の前面側に配置することができるから、電子機器の操作性、視認性を高めることができる。
【００１９】
本発明の請求項４の横置き・壁掛け兼用可能な電子機器によれば、請求項３記載の横置き・壁掛け兼用可能な電子機器において、前記筐体は、前記電子機器を横置きとして使用した際、その前面部から天板部に跨がる表示窓を備え、この表示窓に前記インターフェース部に臨ませて回動自在に組み込むとともに、インターフェース部には、その表示面を除いて前記表示窓を塞ぐ閉塞部を備えたものであるから、表示窓から電子機器の内部へ侵入する埃などの異物を遮断することができ優れた防塵性を発揮することができる。
【００２０】
本発明の請求項５の横置き・壁掛け兼用可能な電子機器によれば、請求項３又は４に記載の横置き・壁掛け兼用可能な電子機器において、前記インターフェース部に設けた制御基板と前記電子機器に設けた制御基板とを可撓性を有する配線部材で電気的に接続したものであるから、インターフェース部の回転時において、配線部材の断線や接触不良などを防止することができる。
【発明を実施するための最良の形態】
【００２１】
以下、添付図面を参酌しながら、本発明を実施するための最良の形態としての実施例を説明する。
【００２２】
図１〜図１１は本発明の一実施例を示しており、同図において、１は電子機器であり、本実施例おいては、ＤＶＤプレーヤに適用した場合を例にして悦明する。電子機器１の筐体２は、ＤＶＤユニット３を固定するシャーシフレーム４と、このシャーシフレーム４を覆う断面コ字型の天板カバー５と、前面パネル枠６によって構成されている。ＤＶＤユニット３は、ディスクを搬入／搬出するトレイ７と、図示はしないがディスクを回転駆動するターンテーブル、ディスクの半径方向へ進退可能に設けたピックアップレンズなどを主要構成部品とし、これら主要構成部品を合成樹脂製のフレーム８に組付けている。また、前記前面パネル枠６には、前記トレイ７に対応するトレイ開口部９が形成されるとともに、このトレイ開口部９と並んで図示しないリモコン受信部を含む複数の操作ボタン１０から成る操作部１１、表示部１２などを備えたインターフェース部１３が設けられている。
【００２３】
前記インターフェース部１３の本体ケース１４は、回動機構を介して前記シャーシフレーム４に形成する左右一対の支持板４ａに回動可能に組み付けられている。この回動機構は、本体ケース１４の左右両側に突設する軸部１５と、この軸部１５を回動自在に枢支するため前記支持板４ａに形成される受孔１６によって構成され、前記インターフェース部１３は軸部１５を中心として回転する。なお、インターフェース部１３は、図示しないストッパ機構により、回動角度が規制されるようになっており、その角度は、前記電子機器１を横置きに使用した際、その前面パネル枠６の前面にあるインターフェース部１３が約９０度回転して天板カバー５側に向くようにすればよい。なお、インターフェース部１３は必ずしもシャーシフレーム４に回動自在に組付ける必要はなく、図５に示すように前面パネル枠６に回動自在に組付けることも可能である。このように、インターフェース部１３は、前面パネル枠６又は天板カバー５とほぼ面一に連続するようにシャーシフレーム４あるいは前面パネル枠６に回動自在に組付けられ、前面パネル枠６には、電子機器１を横置きに使用した際と壁掛けに使用した際にインターフェース部１３が視認可能な表示窓１７が形成されている。この表示窓１７は前面パネル枠６の前面部６ａから天板部６ｂに跨がように形成された前面側開口部１８と天井側開口部１９によって構成され、電子機器１を横置きとした場合、インターフェース部１３の表示面となる前壁部１４ａは前面パネル枠６の前面側開口部１８に臨んで天井側開口部１９が開口し、壁掛けとして使用した場合、インターフェース部１３の前壁部１４ａは前面パネル枠６の天井側開口部１９に臨んで前面側開口部１８が開口する。このため、インターフェース部１３の本体ケース１４は、その表示面となる前記前壁部１４ａと、この前壁部１４ａの両端から折曲された閉塞部となる上壁部１４ｂ、底壁部１４ｃを有する断面コ字型に形成され、横置き使用時において、図８（ａ）で示すように、天井側開口部１９が上壁部１４ｂによって塞がれ、壁掛け使用時においては、図８（ｂ）で示すように、前面側開口部１８が底壁部１４ｃによって塞がれる。また、本体ケース１４の内部には、インターフェース部１３の制御基板２０が組み込まれ、この制御基板２０と前記シャーシフレーム４に組み込まれたメインの制御基板２１とが配線部材として可撓性を有するフレキシブルフラットケーブル（以下、単にフラットケーブルと称す）２２とで電気的に接続されている。このフラットケーブル２２は、図８に示すように、前記インターフェース部１３を回動させた際、フラットケーブル２２が引っ張られることがないよう湾曲状に撓ませた状態で各制御基板２０，２１に接続されている。
【００２４】
また、筐体２の裏面側には、電子機器１を横置きに使用した際、電子機器１を支持するゴム脚３０と防塵カバー３５とが着脱自在に装着され、ゴム脚３０は筐体２の背面寄り両側部に設けた２つの係合孔３１に装着され、防塵カバー３５は筐体２の前面側に固定された前記前面パネル枠６の前端側に例えば両面接着テープなど、適宜手段で取り付けられている。前記係合孔３１は、電子機器１を壁掛けに使用した際、壁にねじ込んだビスや釘、引っ掛け具などの壁掛け部材（図示せず）の引っ掛け孔とし兼用するものであって、前記ゴム脚３０には、環状溝３２を有する係合突部３３が一体形成され、これを装着する前記係合孔３１は、ゴム脚３０の係合突部３３を挿通する径大孔部３４と、この径大孔部３４と連続して前記環状溝３２を嵌合する嵌合孔部３６を有して凸の字型に形成されている。そして、筐体２にゴム脚３０を装着する場合、図７（ａ）に示すように、ゴム脚３０の係合突部３３を係合孔３１の径大孔部３４に挿入した後、図７（ｂ）に示すように、ゴム脚３０を横方向にスライドさせて環状溝３２を嵌合孔部３６に嵌合させることによって筐体２にゴム脚３０を装着する。ゴム脚３０は筐体２から取り外す場合は、ゴム脚３０を逆方向にスライドさせ、係合突部３３を径大孔部３４から引き抜けばよい。また、前記防塵カバー３５はゴム脚３０と同一高さで、かつ、前記前面パネル枠６の横幅とほぼ同じ長さに形成されている。この防塵カバー３５は、電子機器１に接続されるケーブル５１や電源コード５１ａの導出部分を覆う際に使用するものであって、電子機器１から導出された前記ケーブル５１や電源コード５１ａと対応する位置に切欠部５２が形成されている。なお、電子機器１には、壁掛けとして使用した際、壁に沿って引き回される電子機器１とテレビジョン受像機５０との間のケーブル５１を覆うケーブルカバー５５が付属されている。また、本実施例においては、電子機器１としてＤＶＤプレーヤに適用した場合を例をして説明しており、ＤＶＤプレーヤにおいては、電子機器１を壁に掛けた場合、図１１に示すように、ディスクを出し入れするトレイ７が底面側に位置し、ディスクを垂直方向に出し入れすることになるから、これを載置するトレイ７は、ディスクを垂直状態で保持することが可能な構造となっている。
【００２５】
次に、上記構成において本実施例の各種使用方法を図９〜図１１を参照しながら詳細に説明する。
【００２６】
先ず、図９に示すように、例えばラック６０にテレビジョン受像機５０を設置し、その下部に電子機器１を横置きに設置する場合は、筐体２にゴム脚３０を装着する。すなわち、図７（ａ）に示すように、ゴム脚３０の環状溝３２を嵌合孔部３６に嵌合させ、係合孔３１にゴム脚３０を装着するとともに、筐体２の前端側に防塵カバー３５を装着する。これにより、電子機器１に伝わる振動などをゴム脚３０の緩衝作用によって吸収し、電子機器１を安定した状態で設置することができる。このように、電子機器１を横置きする場合、インターフェース部１３は、インターフェース部１３の上壁部１４ｂで前面パネル枠６の天井側開口部１９を塞いだ状態で前面側開口部１８に臨んで配置されている。
【００２７】
次に図１１を参照して電子機器１を壁掛用として使用する場合について説明する。テレビジョン受像機５０を壁に掛けて用いる場合、その下部に電子機器１を壁掛け設置する。この場合、先ず、壁にネジやビスなどの壁掛け部材を固定するとともに、ゴム脚３０をスライドさせて係合突部３３を径大孔部３４から引き抜いて、筐体２からゴム脚３０を取り外すとともに、筐体２から防塵カバー３５を取り外しておく。そして、壁に固定した壁掛け部材に係合孔３１を引っ掛けた後、電子機器１とテレビジョン受像機５０とをケーブル５１で接続する。その後、電子機器１から引き出されたケーブル５１の導出部を覆うように、筐体２に防塵カバー３５を取り付けるとともに、電子機器１に付属するケーブルカバー５５を壁に取り付けて電子機器１とテレビジョン受像機５０との間のケーブル５１を覆う。この時、ケーブルカバー５５は防塵カバー３５に形成する切欠部５２に挿入され、防塵カバー３５とケーブルカバー５５とがＴ字型に連続する。こうして、壁に電子機器１を掛けた後、インターフェース部１３を上側に９０度回転させることにより、それまで底面側に位置するインターフェース部１３が正面側に向けられるので、リモコン受信部を含む複数の操作ボタン１０から成る操作部１１の操作性も優れるとともに、表示部１２も見やすい。また、インターフェース部１３の制御基板２０と筐体２内に組み込まれるメインの制御基板２１とが余裕を持って撓ませたフラットケーブル２２で電気的に接続されているから、インターフェース部１３を回動させた際、フラットケーブル２２が無理なく追従し、フラットケーブル２２に無理な力が掛かって断線や接触不良を起こすといった危険もなく、各制御基板２０，２１を安定した状態で接続することができる。さらに、壁掛けとして使用した場合、それまでインターフェース部１３を視認させるための前面側開口部１８はインターフェース部１３の本体ケース１４に形成される底壁部１４ｃによって塞がれるため、電子機器１は、横置き、壁掛けの何れの使用形態においても、インターフェース部１３の表示面を除く表示窓１７が上壁部１４ｂ又は底壁部１４ｃによって塞がれ、内部に埃などの異物の侵入を防止することができる。
【００２８】
以上のように、本実施例によれば、テレビジョン受像機５０をラック６０などに設置する場合、テレビジョン受像機５０の周辺機器として接続されるＤＶＤプレーヤなどの電子機器１を横に置いて設置し、テレビジョン受像機５０を壁に掛けて用いる場合、これに対応して電子機器１を壁に掛けて使用できる。このように、ユーザーのニーズに応じて電子機器１を横置きとしても壁掛けとしても使用でき、特に、テレビジョン受像機５０を壁に掛けて用いる場合、これに並設するように壁に掛けて設置することにより、これらテレビジョン受像機５０、電子機器１をコンパクトに設置でき、省スペース化を図ることができるとともに、壁掛けタイプのテレビジョン受像機５０と、その周辺機器である電子機器１とを壁面に統一的に配置することができ、インテリアの観点からしても統一的なデザインとなる。また、横置きの際に電子機器１を支持するゴム脚３０を係合孔３１に対して着脱自在に装着することから、壁掛けとして使用する際、ゴム脚３０を取り外せば、係合孔３１を引っ掛ける孔とすることができる。これにより、ゴム脚３０を取り付ける孔と壁掛け部材を引っ掛ける孔とをそれぞれ別に設ける必要がないため、製造工程の簡略化でき、さらに、電子機器１から導出するケーブル５１を覆う防塵カバー３５を筐体２の裏面側に着脱自在に固定し、この防塵カバー３５をゴム脚３０と同じ高さとすることにより、この防塵カバー３５とゴム脚３０とで、電子機器１を横置きに使用した場合、電子機器１をゴム脚３０と防塵カバー３５とで安定的に支持することができ、かつ、筐体２の裏面に装着するゴム脚３０の個数も減らすことができるから、電子機器１の製造コストも削減することができる。しかも、電子機器１を壁掛けとして使用した場合、電子機器１から防塵カバー３５を取り外して電子機器１から引き出されたケーブル５１の接続部分を覆うととともに、電子機器１に付属するケーブルカバー５５によって電子機器１とテレビジョン受像機５０との間のケーブル５１を覆うことによって、ケーブルカバー５５を体裁よく覆うことができるとともに、防塵カバー３５によってケーブル５１の接続部分から電子機器１の内部への埃や塵などの侵入を防ぐことができる。また、インターフェース部１３を筐体２に対して回動させることにより、横置き、壁掛けの何れの使用形態でもリモコン受信部を含む複数の操作ボタン１０から成る操作部１１の操作性も優れるとともに、表示部１２も見やすく、その視認性を高めることができる。さらに、インターフェース部１３の制御基板２０と筐体２内に組み込まれるメインの制御基板２１とが可撓性を有するフラットケーブル２２で電気的に接続することにより、インターフェース部１３を回動させた際、フラットケーブル２２に無理な力が掛かることなく、各制御基板２０，２１を安定した状態で接続することができる。さらに、インターフェース部１３の本体ケース１４にその表示窓１７となる前面側開口部１８及び天井側開口部１９を塞ぐ上壁部１４ｂと底壁部１４ｃとが形成されているため、電子機器１の内部への埃などの異物の侵入を防止することができる。
【００２９】
以上、本発明の一実施例を詳述したが、本発明は本実施例に限定されるものではなく、本発明の要旨の範囲内で種々の変形実施が可能である。例えば、前記実施例では、電子機器の一例としてＤＶＤプレーヤの場合を例に挙げて説明したが、本発明の適用はＤＶＤプレーヤに限定されるものではなく、ＤＶＤプレーヤ以外の他の電子機器にも適用することができる。また、インターフェース部１３を筐体２に対して回動させる回動機構は前記実施例に限定されるものではなく、適宜選定すればよい。
【図面の簡単な説明】
【００３０】
【図１】本発明の一実施例を示す電子機器の斜視図である。
【図２】同上、電子機器を裏面側から見た斜視図である。
【図３】同上、電子機器とゴム脚及び防塵カバーとの分解状態を示す斜視図である。
【図４】同上、電子機器の分解斜視図である。
【図５】同上、インターフェース部を前面パネル枠に装着した状態を示す分解斜視図である。
【図６】同上、ゴム脚の分解斜視図である。
【図７】同上、ゴム脚の装着状態を示す断面図である。
【図８】同上、インターフェース部の回動状態を示す断面図である。
【図９】同上、電子機器を横置きに使用した場合を示す斜視図である。
【図１０】同上、電子機器を壁掛けとして使用した場合を示す分解斜視図である。
【図１１】同上、電子機器を壁掛けとして使用した場合を示す斜視図である。
【符号の説明】
【００３１】
１  電子機器
２  筐体
１４ａ  前壁部（表示面）
１４ｂ  上壁部（閉塞部）
１４ｃ  底壁部（閉塞部）
１５  軸部（回動機構）
１６  軸支部（回動機構）
１７  表示窓
２０，２１  制御基板
２２  フラットケーブル（配線部材）
３０  ゴム脚
３１  係合孔
３２  環状溝
３３  係合突部
３４  径大孔部
３５  防塵カバー
３６  嵌合孔部
【図１】
2005267675.tif 000003
【図２】
2005267675.tif 000004
【図３】
2005267675.tif 000005
【図４】
2005267675.tif 000006
【図５】
2005267675.tif 000007
【図６】
2005267675.tif 000008
【図７】
2005267675.tif 000009
【図８】
2005267675.tif 000010
【図９】
2005267675.tif 000011
【図１０】
2005267675.tif 000012
【図１１】
2005267675.tif 000013